(57)【要約】【課題】  ピッチを小さく構成することができ、接続における信頼性が高いコネクタを提供すること。【解決手段】  導体部１３が配設され弾性を備えた弾性部材１５とを有し、該弾性部材１５は凹部１５ａと凸部１５ｂとを有し、前記導体部１３は前記凸部１５ｂが弾性変形する方向で、前記凹部１５ｂ及び前記凸部１５ａを跨ぐように延設して配設されている。【選択図】図３
2006244762.tif 000002
【特許請求の範囲】
【請求項１】
相手コネクタと接続するコネクタにおいて、導体部と、該導体部が配設され弾性を備えた弾性部材とを有し、該弾性部材は少なくとも一つの凹部と凸部とを有し、前記導体部は前記凸部が弾性変形する方向で、前記凹部及び前記凸部を跨ぐように延設して配設されていることを特徴とするコネクタ。
【請求項２】
請求項１記載のコネクタにおいて、前記凸部は弾性変形する方向に突出する一
対の突起を有することを特徴とするコネクタ。
【請求項３】
請求項１又は２記載のコネクタを用いて、相互に接続するようにしたことを特
徴とする雌雄同体コネクタ。
【発明の詳細な説明】
【技術分野】
【０００１】
本発明は、相手コネクタと接続するコネクタに関する。
【背景技術】
【０００２】
従来技術としては、複数の導電性の係合部材をそれぞれ隣り合う係合部材との間に所定幅の空き項スペースを介して一列に保持してなるコネクタがある。
【０００３】
このコネクタでは、２つを互いに対向さてジッパー開閉金具を閉めるように両コネクタを係合させるようにしている。
【０００４】
複数の係合部材は、弾性材料によりインサート成形された絶縁性の保持部材により一体的に保持されている（例えば、特許文献１を参照）。
【０００５】
【特許文献１】特開平６−３３３６４８号公報
【発明の開示】
【発明が解決しようとする課題】
【０００６】
引用文献１のコネクタでは、係合部材の配列と導体のピッチが一致しているので、小さいピッチで並べることが困難となる。
【０００７】
また、コネクタは、接点が少なく（一点）、信頼性が低いという問題がある。
【０００８】
また、コネクタは、ジッパー開閉金具の構成が必要であり、製造コストが高く、嵌合操作性も悪いという問題がある。
【０００９】
さらに、相手コネクタは、導体の構成が逆向きである必要がある。
【００１０】
それ故に、本発明の課題は、導体部の形成が可能であり、ピッチを小さく構成することができるコネクタを提供することにある。
【００１１】
また、本発明の他の課題は、接続における信頼性が高いコネクタを提供することにある。
【００１２】
また、本発明の他の課題は、ジッパー開閉金具のような別部品が不要となるコネクタを提供することにある。
【課題を解決するための手段】
【００１３】
本発明は、相手コネクタと接続するコネクタにおいて、導体部と、該導体部が配設され弾性を備えた弾性部材とを有し、該弾性部材は少なくとも一つの凹部と凸部とを有し、前記導体部は前記凸部が弾性変形する方向で、前記凹部及び前記凸部を跨ぐように延設して配設されていることを特徴とするコネクタであることを最も主要な特徴とする。
【発明の効果】
【００１４】
本発明のコネクタは、複数の凸部を並べて、凸部の並ぶ方向と垂直に導体部を所定ピッチで並べているので、凸部の大きさに関係しない導体部の形成が可能であり、ピッチを小さく構成することができる。
【００１５】
また、凸部の数は、複数あるので多点の接続となり接続信頼性が高いコネクタとなる。
【００１６】
また、凸部は、突起の配列方向に圧縮して接続するため、ジッパー開閉金具のような別部品が不要となる。
【００１７】
また、相手コネクタはコネクタと同じものを使うことができるので、低コスト化が可能となる。
【００１８】
また、コネクタは、２面以上で導体部が接触する構成であるので接触信頼性が向上する。
【００１９】
さらに、コネクタは、複数の凹部及び凸部が設けられることにより、さらに接触面が増えるので信頼性が向上する。
【発明を実施するための最良の形態】
【００２０】
本発明のコネクタは、相手コネクタと接続するコネクタにおいて、導体部と、該導体部が配設され弾性を備えた弾性部材とを有し、該弾性部材は少なくとも一つの凹部と凸部とを有し、前記導体部は前記凸部が弾性変形する方向で、前記凹部及び前記凸部を跨ぐように延設して配設されていることにより実現した。
【実施例１】
【００２１】
図１乃至図３は、本発明に係るコネクタの実施例１を示している。図１乃至図３を参照して、コネクタ１０は、導体部１３と、導体部１３が配設されている弾性を備えた弾性部材１５と、弾性部材を保持している枠体１７とを有している。
【００２２】
弾性部材１５には、４箇所の凹部１５ａと凸部１５ｂとが交互に所定ピッチで形成されている。導体部１１は、凸部１５ｂが弾性変形する方向で、凹部１５ａ及び凸部１５ｂを跨ぐように延設して配設されている。
【００２３】
凸部１５ｂは、図４にも示すように、弾性変形する方向に突出する一対の突起１５ｄを有する。導体部１３は、例えば、金属メッキによって形成されている金属薄膜であり、凹部１５ａ及び凸部１５ｂの配列方向と垂直に複数が構成されている。即ち、導体部１３は、ピッチ方向Ｐ（図１を参照）を直交する方向に位置している。
【００２４】
なお、導体部１１は、配線技術、薄膜形成、印刷、塗布などによる方法で構成してもよい。弾性部材１５は、弾性率の高い材料が望ましい。実施例１においては、凹部１５ａ及び凸部１５ｂは、４個であるが、弾性部材１５に少なくとも一つの凹部１５ａ及び凸部１５ｂを形成するのみでもよい。
【００２５】
枠体１７は、ピッチ方向Ｐへ弾性部材１５が変形することとを防止している。
【００２６】
図５は、コネクタ１０とこのコネクタ１０と嵌合する相手コネクタ２０との嵌合前の状態を示している。
【００２７】
相手コネクタ２０は、相手導体部２３と、相手導体部２３が配設されている弾性を備えた相手弾性部材２５と、相手弾性部材２５を保持している枠体（図示せず）とを有している。相手弾性部材２５には、４箇所の凹部２５ａと凸部２５ｂとが交互に形成されている。
【００２８】
相手導体部２３は、相手凸部２５ｂが弾性変形する方向で、相手凹部２５ａ及び相手凸部２５ｂを跨ぐように延設して配設されている。相手凸部２５ｂは、弾性変形する方向に突出する一対の相手突起２５ｄを有する。
【００２９】
したがって、相手コネクタ２０は、コネクタ１０と同等の形状となっていることから、雌雄同体コネクタの形状として用いる。
【００３０】
図５には、ピッチ方向Ｐを直交する方向におけるコネクタ１０の凹部１５ａ及び凸部１５ｂ、相手コネクタ２０の相手凹部２５ａ及び相手凸部２５ｂの各寸法関係を示した。
【００３１】
コネクタ１０の凸部１５ｂの幅寸法はａ１，ａ２で示した。相手コネクタ２０の相手凹部２５ａの幅寸法はｂ１，ｂ２で示した。ここで、各幅寸法の関係は、ａ１≧ｂ１，ａ２≧ｂ２とする。
【００３２】
上記寸法関係のコネクタ１０と相手コネクタ２０を図６に示すように、撓ませた形態で、凹部１５ａに相手凸部２５ｂを、また凸部１５ｂを相手凹部２５ａに順次嵌合していくと、図７に示すように、コネクタ１０と相手コネクタ２０とが嵌合する。この際、導体部１３と相手導体部２３とは、凸部１５ｂ及び相手凸部２５ｂが弾性変形することによって、凹部１５ａ及び相手凹部２５ａの夫々に嵌合し接触する。
【実施例２】
【００３３】
図８乃至図１１は、実施例２におけるコネクタ３０を示している。コネクタ３０は、導体部３３と、導体部３３が配設されている弾性を備えた弾性部材３５とを有している。
【００３４】
弾性部材３５には、４箇所の凹部３５ａと凸部３５ｂとが交互に形成されている。導体部３３は、凸部３５ｂが弾性変形する方向で、凹部３５ａ及び凸部３５ｂを跨ぐように延設して配設されている。凸部３５ｂは、弾性変形する方向に突出する一対の突起３５ｄを有する。
【００３５】
実施例２におけるコネクタ３０は、実施例１によって説明したコネクタ１０とほぼ同じものであるが、図１０に示したように、導体部３１がコネクタ３０の底面３１にまで延びている構成が実施例１と異なる。コネクタ３０の底面３１上の導体部３１は、図１２に示したプリント配線基板６０と接続される部分となる。
【００３６】
コネクタ３０は、図１２に示した相手コネクタ２０と接続させる。なお、相手コネクタ２０は、実施例１によって説明した相手コネクタ２０と同じものである。
【００３７】
図１２には、ピッチ方向Ｐを直交する方向におけるコネクタ３０の凹部３５ａ及び凸部３５ｂ、相手コネクタ２０の相手凹部２５ａ及び相手凸部２５ｂの各寸法関係を示した。
【００３８】
コネクタ３０の凸部３５ｂの幅寸法はａ１，ａ２で示した。相手コネクタ２０の相手凹部２５ａの幅寸法はｂ１，ｂ２で示した。ここで、各幅寸法の関係は、図１２の右端と右側から三番目の係合寸法をａ１≧ｃ１，ｄ１≧ｂ１とし、それ以外は逃がした寸法設定としている。
【００３９】
上記寸法関係のコネクタ３０と相手コネクタ２０を、凹部３５ａに相手凸部２５ｂを、また凸部３５ｂを相手凹部２５ａに順次嵌合していくと、図１２に示したように、コネクタ３０と相手コネクタ２０とが嵌合する。この際、導体部３３と相手導体部２３とは、凸部３５ｂ及び相手凸部３５ｂが弾性変形することによって、凹部３５ａ及び相手凹部２５ａの夫々に嵌合し接触する。
【００４０】
この実施例２のコネクタ３０と相手コネクタ２０との嵌合構成では、コネクタ３０と相手コネクタ２０とを撓ませない形態で対向させて真っ直ぐに嵌合するのに適しており、逃がし部分をもたせることにより凸部３５ｂの弾性変形が起こりやすくなる。なお、凸部３５ｂの幅寸法は、ａ１＞ｃ１，ｄ１＞ｂ１となる寸法としてもよく、凸部３５ｂ及び相手凸部２５ｂの幅寸法のすべてをａ１≧ｃ１，ｄ１≧ｂ１としてもよい。このようにすることにより、コネクタ３０と相手コネクタ２０とは、嵌合後の嵌合保持力を向上させることができる。
【実施例３】
【００４１】
図１３は、コネクタの実施例３におけるコネクタ４０を示している。コネクタ４０は、導体部４３と、導体部４３が配設されている弾性を備えた弾性部材４５とを有している。
【００４２】
弾性部材４５には、４箇所の凹部４５ａと凸部４５ｂとが交互に形成されている。導体部４３は、凸部４５ｂが弾性変形する方向で、凹部４５ａ及び凸部４５ｂを跨ぐように延設して配設されている。
【００４３】
実施例２におけるコネクタ４０は、実施例２によって説明したコネクタ３０とほぼ同じものであり、図１０に示した導体部３１がコネクタ３０の底面３１にまで延びている構成と同じ構成となっている。コネクタ４０の底面上の導体部は、プリント配線基板６０と接続される部分となる。
【００４４】
コネクタ４０は、相手コネクタ５０と接続させる。相手コネクタ５０は、相手導体部５３と、相手導体部５３が配設されている弾性を備えた相手弾性部材５５と、相手弾性部材５５を保持している枠体（図示せず）とを有している。相手弾性部材５５には、４箇所の凹部５５ａと凸部５５ｂとが交互に形成されている。
【００４５】
相手導体部５３は、相手凸部５５ｂが弾性変形する方向で、相手凹部５５ａ及び相手凸部５５ｂを跨ぐように延設して配設されている。
【００４６】
したがって、相手コネクタ５０は、コネクタ４０と同等の形状となっていることから、雌雄同体コネクタの形状として用いる。
【００４７】
図１３には、ピッチ方向Ｐを直交する方向におけるコネクタ４０の凹部４５ａ及び凸部４５ｂ、相手コネクタ５０の相手凹部５５ａ及び相手凸部５５ｂの各寸法関係を示した。
【００４８】
コネクタ４０の凹部４５ａの幅寸法はｅで示した。相手コネクタ５０の相手凹部５５ａの幅寸法はｅで示した。さらに、コネクタ４０の凸部４５ｂの幅寸法はｆで示した。相手コネクタ５０の相手凸部５５ｂの幅寸法はｆで示した。ここで、各幅寸法の関係は、ｆ≧ｅとしている。
【００４９】
上記寸法関係のコネクタ４０と相手コネクタ５０を、凹部４５ａに相手凸部５５ｂを、また凸部４５ｂを相手凹部５５ａに順次嵌合していくと、図１４に示したように、コネクタ４０と相手コネクタ５０とが嵌合する。この際、導体部４３と相手導体部５３とは、凸部４５ｂ及び相手凸部５５ｂが弾性変形することによって、凹部４５ａ及び相手凹部５５ａの夫々に嵌合し接触する。
【００５０】
このコネクタ４０と相手コネクタ５０との嵌合では、凸部４５ｂ及び相手凸部５５ｂが図１４の紙面において左右方向に圧縮されて、導体部４３と相手導電部５３との接続が行われる。
【産業上の利用可能性】
【００５１】
本発明のコネクタは、電子部品を接続するプリント配線基板の他に、フレキシブル・プリント配線基板（ＦＰＣ）に実装するコネクタとしての用途にも適用できる。
【図面の簡単な説明】
【００５２】
【図１】本発明に係るコネクタを示す平面図である（実施例１）。
【図２】図１に示したコネクタの正面図である。
【図３】図１に示したコネクタの枠体を除いて示した側面図である。
【図４】図３に示したコネクタの一部を拡大して示した断面図である。
【図５】図１に示したコネクタとコネクタに嵌合する相手コネクタとを示した側面図である。
【図６】図５に示したコネクタと相手コネクタとの嵌合途中の状態を示した側面図である。
【図７】図６に示したコネクタと相手コネクタとの嵌合状態を示した側面図である。
【図８】本発明に係るコネクタを示す平面図である（実施例２）。
【図９】図８に示したコネクタの正面図である。
【図１０】図８に示したコネクタの底面図である。
【図１１】図８に示したコネクタの側面図である。
【図１２】図８に示したコネクタを基板に搭載し、コネクタと相手コネクタとを嵌合した状態を示した側面図である。
【図１３】本発明に係るコネクタを基板に搭載し、コネクタと相手コネクタとの嵌合前の状態を示した側面図である（実施例３）。
【図１４】図１３に示したコネクタと相手コネクタとを嵌合した状態を示した側面図である。
【符号の説明】
【００５３】
１０，３０，４０    コネクタ
１３，３３、４３    導体部
１５，３５，４５    弾性部材
１７    枠体
１５ａ，２５ａ、３５ａ、４５ａ    凹部
１５ｂ，２５ｂ，３５ｂ、４５ｂ    凸部
１５ｄ，３５ｄ    突起
２０、５０    相手コネクタ
２３，５３    相手導体部
２５、５５    相手弾性部材
２５ａ、４５ａ、５５ａ    相手凹部
２５ｂ、４５ｂ，５５ｂ    相手凸部
２５ｄ    相手突起
【図１】
2006244762.tif 000003
【図２】
2006244762.tif 000004
【図３】
2006244762.tif 000005
【図４】
2006244762.tif 000006
【図５】
2006244762.tif 000007
【図６】
2006244762.tif 000008
【図７】
2006244762.tif 000009
【図８】
2006244762.tif 000010
【図９】
2006244762.tif 000011
【図１０】
2006244762.tif 000012
【図１１】
2006244762.tif 000013
【図１２】
2006244762.tif 000014
【図１３】
2006244762.tif 000015
【図１４】
2006244762.tif 000016